(57)【要約】  【課題】ひとつの機能が動作中に、簡単に他の機能を起動させる。  【解決手段】所定テンキーに機能を割付け、その機能を動作させている場合、所定キーのいずれとも異なる特定キー（特殊起動キー）の押下がなされたこと、及び、同一の所定テンキー（所定テンキーは１以上設定することができる）が所定押下回数以上連続押下されたこと、の２つを条件として、機能起動部１５は所定テンキーに係る他の機能をＣＰＵ２によって起動させる。携帯電話端末の状態が待受状態、又は所定テンキー連続押下を要せずに切替えることができ機能が動作中であるときは、１度のキー押下により直ちに他の機能に切替える。特殊起動キー押下を条件の１つとした理由は、既にテンキー連続押下によりメール機能などのひとつの機能が起動され動作中であり、入力作業中のときは、不意にその機能が終了されないように、ユーザに注意を喚起するためである。【選択図】図１
2006186713.tif 000002
【特許請求の範囲】
【請求項１】
所定テンキーのそれぞれに割当機能を付与した携帯電話端末において、
押下キーを検出する押下検出部と、
前記所定テンキーと、前記押下検出部が検出した前記押下キーとを比較する比較部と、
前記所定テンキーが押下されたときは、前記所定テンキー以外のキーを特殊起動キーとして押下したことを条件として、機能を起動することを前記比較部に通知する起動条件部とを備え、
前記割当機能の1つが動作中であるときに、前記所定テンキーの1つの連続押下により、前記割当機能を起動させることを特徴とする携帯電話端末。
【請求項２】
前記割当機能の1つが動作中であるときに、前記所定テンキーの1つが押下されたことを検出した後、前記比較部は、前記特殊起動キーの押下の検出を待ち受けることを特徴とする請求項１に記載の携帯電話端末。
【請求項３】
前記押下検出部が、前記特殊起動キーの押下を検出した後、前記比較部は、第１回目に押下検出された前記所定テンキーと同一の前記所定テンキーの押下を待ち受けることを特徴とする請求項２に記載の携帯電話端末。
【請求項４】
前記比較部は、同一の前記所定テンキーが連続して所定回数以上押下されるまで、押下の検出を待受けることを特徴とする請求項３に記載の携帯電話端末。
【請求項５】
前記比較部は、前記特殊起動キーの押下が検出された後に検出されたキーが、前記所定テンキーのいずれでもないときは、前記割当機能を起動しないことを特徴とすることを特徴とする請求項３に記載の携帯電話端末。
【請求項６】
前記起動条件部は、前記携帯電話端末の状態が、待受状態であるか、前記割当機能動作中であるか、前記割当機能以外の機能が動作中であるかに応じて、前記押下検出部が検出した前記押下キーと比較すべきキー群を前記比較部に通知することを特徴とする請求項１に記載の携帯電話端末。
【請求項７】
前記押下検出部の押下検出信号をフィルタリングして前記比較部に入力するフィルタ部をさらに備え、前記押下検出部が前記キー群のいずれかの押下を検出した前記検出信号のみを透過させることを特徴とする請求項６に記載の携帯電話端末。
【発明の詳細な説明】
【技術分野】
【０００１】
本発明は、携帯電話端末に関し、特に、携帯電話などの携帯電話端末の１つの機能画動作中であるときに、画面を確認することなく他の機能を起動させる携帯電話端末に関する。
【背景技術】
【０００２】
昨今、携帯電話等の携帯電話端末の機能が拡大され、画像送信、バーコードリーダ、ＧＰＳ、アプリケーションダウンロード、電話帳登録などの機能を利用する事ができる他、電話帳を利用した登録外着信拒否、キー操作部が不必要に操作されないようにするためのキー操作無効機能などもある。そのため、所望の機能を起動するまでにメニューの選択、ボタン押下の増加を余儀なくされており、機能設定を容易にする技術が種々開示されている。
【０００３】
例えば、特許文献１に開示された移動体電話機では、キー入力操作無効機能のオン・オフの際、ユーザが設定した時間内にユーザが指定したキーを所定回数押下することにより、ユーザの個人差に合わせて操作性を向上することができる。
【０００４】
特許文献２に開示された緊急連絡システムでは、特定のボタンを押下すれば警察〔１１０〕、消防〔１１９〕などに選択的に接続される携帯電話に当該携帯電話の高さ位置検知手段を備えさせ、ユーザが立った状態で特定ボタンを複数回（又は所定時間若しくはワンタッチ）押下すれば１１０番に、倒れた状態であれば１１９番に、それぞれ緊急連絡が行われる。このとき、ＧＰＳ機能が起動され、ユーザの位置も緊急連絡される。
【０００５】
特許文献３に開示された音楽演奏機能を有する携帯電話機では、演奏の開始・停止、曲のスキップ、音量の設定のための特別のキーを配置することなく１２キー（１から９、＊、０、＃）を用いて、演奏指示を行う。すなわち、特定キーを一定時間以上押下すれば当該キー番号によって指定される曲にスキップし、一定時間内に複数回繰り返し押下すれば当該キー番号によって指定される音量が設定される。
【０００６】
特許文献４に開示された携帯端末では、機能のオン・オフを容易にするため、機能の割当は、ファンクションキー押下、機能番号押下に続いて、ファンクションキーの複数回押下により行い、当該機能のオンはファンクションキーの１回押下により、また、オフはファンクションキーの２回押下により行う。
【０００７】
特許文献５に開示されたデータ入力装置、データ入力方法、通信装置、プログラムおよび記憶媒体では、電子メールアドレスの入力、ＩＰアドレスの入力、一般名称の入力に応じて、変換テーブルを切替える。例えば、電子メールアドレスの入力の場合、“．”、“＠”にそれぞれ“＊“、”＃“を割り当て、押下回数を１回と規定して、入力を容易にする。
【０００８】
このように、特許文献１〜５、によれば、ボタン操作は簡略化され、所望の機能が起動するまで画面を確認しながらキー操作を行わなければならないという不便が解消される。
【０００９】
【特許文献１】特開２００２−２１８０２０号公報（図１、段落００１８）
【特許文献２】特開２００２−３００３１６号公報（図１、段落００２７）
【特許文献３】特開２００２−２９０５１４号公報（図１、段落００１２）
【特許文献４】特開平１０−２４３０６２号公報（図２、段落００１１）
【特許文献５】特開２００２−２２９７２０（図５、段落００２３）
【発明の開示】
【発明が解決しようとする課題】
【００１０】
しかし、特許文献１、２、３では、所定時間のキー長押し又は所定時間内のキーの複数回押下が必要であるため、時間的条件を満足しなかったときや、押下回数を間違えたときは、キー押下に対して携帯電話が応答せず、ユーザには不便・不快である。
【００１１】
また、特許文献４では、ファンクションキー（機能割当キー）というキーが別途必要となり、それに伴って、携帯電話端末の部品点数が増える。
【００１２】
さらに、ひとつの機能が動作中に他機能を起動させることは、通常のメニューからの起動であれば、メニューキー押下で可能であるが、ショートカットボタンや長押しでの機能起動を行うには、一度待受画面に戻るか、動作中の機能を終了させないといけないため、不便が生じる。ところが、特許文献１〜５では、この不便を解消することができない。
【００１３】
そこで、本発明は、時間的条件を満足しなかったときや、押下回数を間違えたときであっても、所望の機能を起動させることを目的とする。
【００１４】
本発明は、また、ひとつの機能が動作中であるときに、メニューボタンを使用せず、又、一旦待受画面に戻ることなく、且つキー操作中に画面を確認することなく、他の機能を起動させ、キー操作を一層簡略化することを目的とする。
【課題を解決するための手段】
【００１５】
本発明では、ユーザ自身で又はデフォルトで所定テンキーに所定機能を割り付ける。テンキー毎に割付けられた各機能を起動させる場合、ユーザは、機能に割付けられたテンキーを連続押下する操作を行う。テンキーが、所定押下回数以上押下された場合であっても、携帯電話端末は、その押下されたテンキーに割付けられた機能の起動を要求されたと判断し、テンキーに割付けた機能を起動させる。
【００１６】
また、本発明では、待受状態、又はテンキーを使用しない機能並びにテンキーを連続押下しない機能が動作中である状態にあるときは、同一テンキー連続押下が実行されれば、ユーザ設定により当該テンキーに割り付けられた機能を直ちに起動する。
【００１７】
しかし、既にテンキーの連続押下によりメール機能などを起動させ使用している最中に、テンキー連続押下が行われると、意図せず現在動作している機能を終了させる虞れがあり、メール送信などのためにそれまで行われた入力などが無駄となる。そこで、これを防止するため、所定キー（以下、特殊起動キーという）が押下されて始めて、テンキー連続押下により、他の機能を起動させる。
【００１８】
本発明による携帯電話端末は、以下のような特徴的な構成を採用している。
【００１９】
（１）所定テンキーのそれぞれに割当機能を付与した携帯電話端末において、
押下キーを検出する押下検出部と、
前記所定テンキーと、前記押下検出部が検出した前記押下キーとを比較する比較部と、
前記所定テンキーが押下されたときは、前記所定テンキー以外のキーを特殊起動キーとして押下したことを条件として、機能を起動することを前記比較部に通知する起動条件部とを備え、
前記割当機能の1つが動作中であるときに、前記所定テンキーの1つの連続押下により、前記割当機能を起動させる携帯電話端末。
（２）前記割当機能の1つが動作中であるときに、前記所定テンキーの1つが押下されたことを検出した後、前記比較部は、前記特殊起動キーの押下の検出を待ち受ける上記（１）の携帯電話端末。
（３）前記押下検出部が、前記特殊起動キーの押下を検出した後、前記比較部は、第１回目に押下検出された前記所定テンキーと同一の前記所定テンキーの押下を待ち受ける上記（２）の携帯電話端末。
（４）前記比較部は、同一の前記所定テンキーが連続して所定回数以上押下されるまで、押下の検出を待受ける上記（３）の携帯電話端末。
（５）前記比較部は、前記特殊起動キーの押下が検出された後に検出されたキーが、前記所定テンキーのいずれでもないときは、前記割当機能を起動しない上記（３）の携帯電話端末。
（６）前記起動条件部は、前記携帯電話端末の状態が、待受状態であるか、前記割当機能動作中であるか、前記割当機能以外の機能が動作中であるかに応じて、前記押下検出部が検出した前記押下キーと比較すべきキー群を前記比較部に通知する上記（１）の携帯電話端末。
（７）前記押下検出部の押下検出信号をフィルタリングして前記比較部に入力するフィルタ部をさらに備え、前記押下検出部が前記キー群のいずれかの押下を検出した前記検出信号のみを透過させる上記（６）の携帯電話端末。
【発明の効果】
【００２０】
本発明によれば、時間的条件を満足しなかったときや、押下回数を間違えたときであっても、所望の機能を起動させることができる。また、ひとつの機能が動作中であるときに、メニューボタンを使用せず、又、一旦待受画面に戻ることなく、且つキー操作中に画面を確認することなく、他の機能を起動させ、キー操作を一層簡略化することができる。
【実施例１】
【００２１】
図１は、本発明の一実施例を示す携帯電話端末のブロック図である。
携帯電話端末は、キー部３と、キー部３からの同一キー連続押下により携帯電話端末の機能を起動する連続押下起動装置１と、現在の携帯電話端末の状態（待受中か、機能動作中かなど）を連続押下起動装置１に通知するＣＰＵ２とを含む。なお、携帯電話端末が通常備える表示装置、カメラ、マイクロフォン、スピーカ、送受信部などは図示しない。
【００２２】
連続押下起動装置１は、ＣＰＵ２からの状態信号Ｔ１を入力する状態認知部１１と、状態認知部１１から出力される携帯電話端末状態に応じた起動条件信号Ｔ２を入力する起動条件部１２と、起動条件部１２から出力される比較信号Ｔ３を入力する比較部１３、押下されたキーを検出してキー押下信号Ｔ４を比較部１３に入力する押下検出部１４と、比較部１３が出力する起動要求信号Ｔ５を入力して機能を起動する機能起動部１５とを備える。
【００２３】
状態信号Ｔ１には３種類あり、それらは、待受状態（状態１）、テンキーを使用しない機能又はテンキーを連続押下しない機能が動作中である状態（状態２）、及びテンキー連続押下により起動される機能が動作中である状態（状態３）である。簡単のため、状態２を非連続押下機能動作状態といい、状態３を連続押下機能動作状態という。
【００２４】
起動条件信号Ｔ２には２種類あり、それらは、待受状態（状態１）及び非連続押下機能動作状態（状態２）に対しては非テンキー押下及びテンキー押下を検出すると、そのキー押下信号Ｔ４により直ちに、機能を起動するという起動条件１と、連続押下機能動作状態（状態３）に対しては特殊起動キーの押下に続いて所定回数以上のテンキー連続押下があったとき機能を起動するという起動条件２である。
【００２５】
比較信号Ｔ３には、２種類ある起動条件信号に対応して２種類あり、それらは、起動条件１に対しては連続押下のために指定されたテンキー以外のすべてのキー（非テンキー及びテンキー）をリストアップする比較信号１と、連続押下のために指定されたテンキーをリストアップする比較信号２である。なお、比較信号２のリストには、特殊起動キーも含まれる。
【００２６】
比較信号１又は比較信号２のいずれかが比較信号Ｔ３として比較部１３に入力され、キー押下信号Ｔ４と比較される。
【００２７】
比較信号Ｔ３が、比較信号１であるときは、比較部１３は直ちに起動要求信号Ｔ５を機能起動部１５に対して出力する。一方、比較信号Ｔ３が、比較信号２であるときは、比較部１３は、特殊起動キーを押下したキー押下信号Ｔ４に続いて、連続押下のために指定されたテンキーの押下を検出するキー押下信号を連続して所定回数以上計数したときに初めて起動要求信号Ｔ５を機能起動部１５に対して出力する。
【００２８】
図２は、本発明の実施例における携帯電話端末の動作を表すフローチャートである。
【００２９】
先ず、ステップＳ１において、携帯電話端末内のＣＰＵ２は、状態認知部１１に現在の携帯電話端末の状態を表す信号である状態信号Ｔ１として送信する。状態信号Ｔ１には３種類あり、それらは、待受状態（状態１）、テンキーを使用しない機能又はテンキーを連続押下しない機能が動作中である状態（状態２）、及びテンキー連続押下により起動される機能が動作中である状態（状態３）である。簡単のため、状態２を非連続押下機能動作状態といい、状態３を連続押下機能動作状態という。
【００３０】
次に、ステップＳ２において、状態認知部１１は、状態信号Ｔ１を格納し、携帯電話端末がどの状態であるのかを認知し、携帯電話端末の機能がどの起動条件で起動されるかを認識させる信号である起動条件信号Ｔ２を起動条件部１２に送信する。起動条件信号Ｔ２には２種類あり、それらは、待受状態（状態１）及び非連続押下機能動作状態（状態２）に対しては非テンキー押下及びテンキーキー押下を検出すると、そのキー押下信号Ｔ４により直ちに、機能を起動するという起動条件１と、連続押下機能動作状態（状態３）に対しては特殊起動キーの押下に続いて所定回数以上のテンキー連続押下があったとき機能を起動するという起動条件２である。特に、連続押下機能動作状態（状態３）に対しては（例えば、テンキーの連続押下によりメール機能などが動作中であるときに）、テンキー連続押下が行われると、意図せず同じメール機能又は他の機能を起動してしまい、メール機能などを使用中にそれまで行われた入力などが無駄となる。そこで、これを防止するため、状態３に対する起動条件は、特殊起動キーの押下と、連続押下機能のために指定された所定テンキーの連続所定回数以上の押下を条件として、機能を起動することとしたものである。
【００３１】
続いて、ステップＳ３において、起動条件部１２は、起動条件信号Ｔ２を格納し、起動条件信号Ｔ２に基づいて比較部１３に起動条件に基づく所定の比較を行わせるための比較信号Ｔ３を比較部１３に送信する。比較信号Ｔ３には、２種類ある起動条件信号に対応して２種類あり、それらは、起動条件１に対しては連続押下のために指定されたテンキー以外のすべてのキー（非テンキー及びテンキー）をリストアップする比較信号１と、連続押下のために指定されたテンキーのすべてをリストアップする比較信号２である。なお、比較信号２のリストには特殊起動キーも含まれる。
【００３２】
次に、ステップＳ４（１次比較処理）において、比較信号Ｔ３とキー押下信号Ｔ４との比較を開始する。比較処理の詳細は以下のステップＳ５〜Ｓ９により説明する。
【００３３】
先ず、ステップＳ５において、キー押下信号Ｔ４が示すキーが連続押下される可能性がないと判定されれば、携帯電話端末の状態は、上述した待受状態（状態１）又は非連続押下機能動作状態（状態２）のいずれかであり、いずれにしても起動条件１、比較条件１に該当する。したがって、比較部１３は直ちに起動要求信号Ｔ５を出力する。
【００３４】
一方、ステップＳ５において、キー押下信号Ｔ４が示すキーが連続押下される可能性があると判定されれば、携帯電話端末の状態は、上述した連続押下機能動作状態（状態３）であり、起動条件２、比較条件２に該当する。そこで、ステップＳ６に進む。
【００３５】
ステップＳ６では、現在動作中の機能が不意に停止されることを防止するための処理を実行する。このステップでは、所定の特殊起動キーがユーザによって入力されたか否かが判定される。なお、ユーザに対して、特殊起動キーを押下するよう要求し、ユーザの注意を喚起することとしてもよい。ここに、特殊起動キーは、連続押下機能を起動するために設定したテンキーと同じであってはならない。
【００３６】
ステップＳ６において、特殊起動キーが押下されたと判定されれば、ステップＳ７に進む。一方、ステップＳ６において、特殊起動キーが未だ押下されていないと判定されれば、特殊起動キーが押下されるまで待ち、処理は先に進まない。
【００３７】
ステップＳ７（２次比較処理）では、特殊起動キー押下後に検出された引き続く２つのキー押下信号Ｔ４は同一か否かが判定される。ステップＳ７において、引き続く２つのキー押下信号Ｔ４が同一であると判定されたときは、連続して２回同じテンキーが押下されたことになるから、連続押下が進行中であることが分かる。そこで、ステップＳ８に進む。一方、ステップＳ７において、引き続く２つのキー押下信号Ｔ４が同一ではないと判定されたときは、同じテンキーが連続押下されていないため、図５において後述する連続テンキー押下信号保持動作の一部の処理を実行する。
【００３８】
ステップＳ８では、同一のテンキーが、例えば５回以上押下されたか否かが判定される。ステップＳ８において、同一のテンキーが、例えば５回以上押下されたと判定されれば、ステップＳ９に進む。所定回数（例えば５回）以上の押下が検出されるまで、押下信号Ｔ４を待ち受ける。
【００３９】
ステップＳ９において、比較部１３は、ここで初めて起動要求信号Ｔ５を機能起動部１５に出力し、機能起動部１５は起動要求信号Ｔ５に基づいて、ＣＰＵ２を介して、機能が起動される。
【００４０】
図３は、比較部１３のブロック図である。
比較部１３は、１次比較部１３１とこれに接続された特殊起動キー比較部１３２、及び、２次比較部１３３とこれに接続された比較保持部１３４からなり、２次比較部１３３は１次比較部１３１によって制御される。また、特殊起動キー比較部１３２と２次比較部１３３には押下検出部１４の出力が入力される。
【００４１】
比較信号Ｔ３には、２種類ある起動条件信号に対応して２種類あり、それらは、起動条件１に対しては連続押下のために指定されたテンキー以外のすべてのキー（非テンキー及びテンキー）をリストアップする比較信号１と、連続押下のために指定されたテンキーのすべてをリストアップする比較信号２である。なお、比較信号２のリストには、特殊起動キーも含まれる。
【００４２】
比較信号Ｔ３が比較条件１であるときは、キー押下信号Ｔ４と特殊起動キーの比較は不要であり、キー押下信号Ｔ４の検出により直ちに１次比較部１３１から起動要求信号Ｔ５１が機能起動部１５に対して出力される。
【００４３】
一方、比較信号Ｔ３が比較条件２であるときは、キー押下信号Ｔ４と特殊起動キーの比較が行われ、２次比較部１３３から起動要求信号Ｔ５２が機能起動部１５に対して出力される。
【００４４】
なお、比較信号は２種類しかないため、比較信号に応じて、起動要求信号Ｔ５１、５２のうち１つだけが出力される。
【００４５】
図４は比較部１３の動作を表すフローチャートである。
先ず、ステップＳ１０において、比較部１３に比較信号Ｔ３が起動条件部１２から入力される。比較信号Ｔ３には、２種類ある起動条件信号Ｔ２に対応して２種類あり、それらは、連続押下される可能性のないキー（連続押下のために指定されたテンキー以外のすべてのキー（非テンキー及びテンキー）をリストアップする比較信号１と、連続押下のために指定されたテンキーをリストアップする比較信号２である。そこで、１次比較部は、入力された比較信号Ｔ３が、比較信号２であるか否かを雄判定する。言い換えると、比較信号Ｔ３が特殊起動信号Ｔ１１を含むか否かを判定する。
【００４６】
ステップＳ１０において、比較信号Ｔ３が特殊起動信号Ｔ１１を含まないと判定されれば、ステップＳ１１に進む。
【００４７】
ステップＳ１１では、１次比較部１３１は、キー押下信号Ｔ４を検出後直ちに起動要求信号を出力する。このとき、１次比較部１３１は特殊起動キー比較部１３２に対して特殊起動キー信号Ｔ１１を出力していない。そのため、特殊起動キー比較部１３２に入力されたキー押下信号Ｔ４は、そのまま１次比較部１３１に出力され、直ちに１次比較部１３１から起動要求信号Ｔ５１が出力されることになる。
【００４８】
一方、ステップＳ１０において、比較信号Ｔ３が特殊起動信号Ｔ１１を含むと判定されれば、ステップＳ１２に進む。
【００４９】
ステップＳ１２では、１次比較部１３１は特殊起動キー比較部１３２に対し特殊起動信号Ｔ１１を出力する。続くステップＳ１３において、特殊起動キー比較部１３２は、最初のキー押下信号Ｔ４（連続押下機能起動のための所定のテンキー）と、それに続いて新たに検出されたキー押下信号Ｔ４とを記憶する。
【００５０】
次に、ステップＳ１４において、特殊起動キー比較部１３２は、新たに検出されたキー押下信号Ｔ４が特殊起動キー信号Ｔ１１と同一であるか否かが判定される。ステップＳ１４において、新たに検出されたキー押下信号Ｔ４が特殊起動キー信号Ｔ１１と同一であると判定されれば、最初のキー押下信号が、連続押下機能起動のための所定のテンキーを示す信号であること、及び、新たに検出されたキー押下信号Ｔ４が、特殊起動キーを表す信号であること、を確認した上で、次の処理ステップＳ１５へと進むことができる。なお、特殊起動キー信号Ｔ１１を検出するまで次の処理には進まない。また、特殊起動キー信号Ｔ１１を検出したとき、特殊起動キー比較部１３２は、特殊起動キー信号を１次比較部１３１に対して出力する。１次比較部１３１では、入力された特殊起動キー信号に基づいて、１次比較通過信号Ｔ１０を２次比較部１３３に対して出力する。これにより、次の処理ステップＳ１５に進む。
【００５１】
ステップＳ１４に続くステップＳ１５では、１次比較通過信号Ｔ１０に基づいて、２次比較部１３３は、次のキー押下信号Ｔ４を待ち受ける。
【００５２】
次に、ステップＳ１６において、２次比較部１３３は、キー押下信号Ｔ４が、連続押下機能起動のための所定のテンキーを表す信号Ｔ１２であるか否か判定する。ステップＳ１６において、キー押下信号Ｔ４が、連続押下機能起動のための所定のテンキーを表す信号Ｔ１２ではないと判定されれば、図５において後述するステップＳ２２へ進む。
【００５３】
一方、ステップＳ１６において、キー押下信号Ｔ４が、連続押下機能起動のための所定のテンキーを表す信号Ｔ１２であると判定されれば、ステップＳ１７に進む。ステップＳ１７では、比較保持部１３４に検出された所定テンキー信号Ｔ１２を格納保持する。これにより、連続押下の初回が記憶され、連続テンキー押下信号保持動作ルーティンが開始される。
【００５４】
図５は、連続テンキー押下信号保持ルーティン（図４）のフローチャートである。
【００５５】
まず、ステップＳ１８において、比較保持部１３４が１つ目の所定テンキー押下信号Ｔ１２を保持した後、さらに２次比較部１３３がキー押下信号Ｔ４を受信する。
【００５６】
次に、ステップＳ１９（図４に示したステップＳ１６に対応）では、２次比較部１３３は、キー押下信号Ｔ４が、連続押下機能起動のための所定のテンキーを表す信号Ｔ１２であるか否か判定する。ステップＳ１９において、キー押下信号Ｔ４が、所定テンキー押下信号Ｔ１２ではないと判定されれば、ステップＳ２２に進む。ステップＳ２２については、後述する。
【００５７】
一方、ステップＳ１９において、キー押下信号Ｔ４が、所定テンキー押下信号Ｔ１２であると判定されれば、ステップＳ２０に進む。
【００５８】
次に、ステップＳ２０（図２に示したステップＳ７（２次比較）に対応）では、第１回目に格納した所定テンキー信号と今回〔２回目〕の所定テンキー押下信号は同一であるか否かが判定される。ステップＳ２０において、第１回目に格納した所定テンキー信号と今回〔２回目〕の所定テンキー押下信号は同一ではないと判定されれば、ステップＳ２３に進む。ステップＳ２３については、後述する。
【００５９】
ステップＳ２０において、第１回目に格納した所定テンキー信号と今回〔２回目〕の所定テンキー押下信号は同一であると判定されれば、ステップＳ２１に進む。ステップＳ２１では、第１回目と第２回目の所定テンキー信号Ｔ１２を連続押下信号Ｔ１４として比較保持部１３４に格納し、第３回目の所定テンキーを検出するべく連続テンキー押下信号保持動作ルーティンへ戻る。
【００６０】
最後に、ステップＳ１９及びステップＳ２０からそれぞれ分岐するステップＳ２２、ステップＳ２３について説明する。
【００６１】
ステップＳ２２では、第２回目のキー押下信号Ｔ１６は所定テンキー信号Ｔ１２ではないため、第１回目の所定キー押下信号Ｔ１２も第２回目のキー押下信号Ｔ４も無効となる。そのため、不連続押下信号Ｔ１６としての第１回目のキー押下信号Ｔ１２と第２回目のキー押下信号Ｔ４信号は、２次比較部１３３が送出するオールクリア信号Ｔ１９により比較保持部１３４が完全にクリアされる。その後、図２に示した連続押下起動開始ルーティンに戻り、連続押下起動処理をやり直す。
【００６２】
ステップＳ２３では、第２回目の所定テンキー押下信号Ｔ１２のみをメモリからクリアするだけで充分である。そのため２次比較部１３３は、部分クリア信号Ｔ１８を送出して、第２回目の所定テンキー押下信号Ｔ１２のみを比較保持部１３４からクリアする。その後、第２回目の所定テンキー押下信号を検出し直すべく、連続テンキー押下信号保持動作ルーティンに戻る。
【００６３】
このようにして、同一の所定テンキーが連続して所定回数（例えば５回）以上押下されれば、所定回数以上連続押下信号Ｔ１７が  ２次比較部１３３に対して出力された上で、２次比較部１３３から起動要求信号Ｔ５２が機能起動部１５に対して出力される。
【００６４】
なお、起動要求信号Ｔ５１、Ｔ５２を出力した比較部１３は、機能の起動が完了するまで動作を停止する。起動要求信号Ｔ５１、Ｔ５２を受信した機能起動部１５は、ＣＰＵ２によって、ユーザ設定によりテンキーに割付けられた機能を起動させる。
【００６５】
以上説明した実施形態では、現在動作している機能を他の機能に切替えるため、常時切替え可能とするべく電力を消費する。
【００６６】
そこで、図６のように押下検出部１４と比較部１３の間に、フィルタ部１６を追加する。フィルタ部１６は、比較部１３に必要なキー押下信号Ｔ４（特殊キー押下信号Ｔ１１も含む）のみを通過させる。例えば、連続押下機能動作状態では、所定テンキー押下信号Ｔ４のみ動作させる。これにより、比較部１３は、必要なキー押下信号Ｔ４のみを比較すればよいので、消費電力が節約される。
【００６７】
以上、本発明の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００６８】
【図１】本発明の一実施例による携帯電話端末のブロック図である。
【図２】本発明の実施例における携帯電話端末の動作のフローチャートである。
【図３】本発明の実施例における比較部のブロック図である。
【図４】本発明の実施例における比較部の動作のフローチャートである。
【図５】本発明の実施例における連続テンキー押下信号保持動作ルーティンのフローチャートである。
【図６】本発明の他の実施例による携帯電話端末のブロック図である。
【符号の説明】
【００６９】
１      連続押下起動装置
２      ＣＰＵ
３      キー部
１１    状態認知部
１２    起動条件部
１３    比較部
１４    押下検出部
１５    機能起動部
１６    フィルタ部
１３１  １次比較部
１３２  特殊起動キー比較部
１３３  ２次比較部
１３４  比較保持部
Ｔ１    状態信号
Ｔ２    起動条件信号
Ｔ３    比較信号
Ｔ４    キー押下信号
Ｔ５    起動要求信号
Ｔ１０  １次比通過信号
Ｔ１１  特殊起動キー信号
Ｔ１２  連続押下信号
Ｔ１４  連続押下信号
Ｔ１５  非所定テンキー信号
Ｔ１６  不連続押下信号
Ｔ１８  部分クリア信号
Ｔ１９  オールクリア信号
【図１】
2006186713.tif 000003
【図２】
2006186713.tif 000004
【図３】
2006186713.tif 000005
【図４】
2006186713.tif 000006
【図５】
2006186713.tif 000007
【図６】
2006186713.tif 000008